(57)【要約】  本発明はTVやホームシアターのような映像-音響装置を貫通された壁体に回転可能に設置することによって壁体の両側のどちらの方向でも映像-音響装置を視聴しえるようにする映像-音響装置の回転式壁体内蔵システムに関する。本発明に係る映像-音響装置のシステム1は TVを具備する映像-音響装置10、前記映像-音響装置10を支持する支持フレーム20、前記支持フレーム20の周囲を囲んで前記支持フレーム20が回転可能に装着される壁フレーム30、前記壁フレーム30に対して前記支持フレーム20を前方定位置または後方定位置に回転させる回転手段40及び、前記壁フレーム30が固定装着される設置孔51が貫通形成された壁体50を含んで、前記回転手段40による前記支持フレーム20の前方定位置または後方定位置への回転により前記壁体50の両側で前記映像-音響装置10を視聴することができる。【選択図】  図２
2008521334.tif 000002
【特許請求の範囲】
【請求項１】
TVを具備する映像-音響装置10、前記映像-音響装置10を支持する支持フレーム20、前記支持フレーム20の周りを囲んで前記支持フレーム20が回転可能に装着される壁フレーム30、前記壁フレーム30に対して前記支持フレーム20を前方定位置または後方定位置に回転させる回転手段40、及び前記壁フレーム30が固定装着される設置孔51が貫通形成された壁体50を含み；
前記回転手段40による前記支持フレーム20の前方定位置または後方定位置に回転により前記壁体50の両側から前記映像-音響装置10を視聴できるのを特徴とする、映像-音響装置の回転式壁体内蔵システム。
【請求項２】
前記回転手段40は、前記壁フレーム30を基準に前記支持フレーム20を回転させる中心になる回転軸41、前記回転軸41に連結された従動ギア42、前記従動ギア42に結合された駆動ギア43、前記駆動ギア43を回転させるモータ44、及びモータ44の正逆方向の回転と停止位置などを制御するコントローラ45を含むのを特徴とする、請求項1記載の映像-音響装置の回転式壁体内蔵システム。
【発明の詳細な説明】
【技術分野】
【０００１】
本発明は映像-音響装置の回転式壁体内内蔵システムに関し、より詳しくは映像-音響装置を貫通した壁体に回転可能に設置して壁体の両側のどちらの方向でも映像-音響装置を視聴可能とする映像-音響装置の回転式壁体内蔵システムに関する。
【背景技術】
【０００２】
一般家庭で広く使用する代表的な映像-音響装置であるテレビは伝統的なブラウン管から大型画面が可能なプロジェクションTVを経て最近はPDP TVやLCD TV のような高画質製品に次第に代替されているし、TV放送やDVDなどを多チャンネルの実感溢れる立体音響で鑑賞できるホームシアターシステムの普及も段々増えている。
【０００３】
このようなTVやホームシアターなどの映像-音響装置は居間または茶の間などの壁側に配置した装飾台などに上げ置いて視聴することが一般的であり、壁掛け型として開発されたPDP TV やLCD TVのような薄膜型TVの場合は適当な高さの壁に掛けて視聴している。
【０００４】
PDP TV やLCD TVはブラウン管やプロジェクションに対応してその解像度が高くて薄く製作することができて室内空間を少なく占める壁掛け型への製作が可能である長所があるが、既存ブラウン管に比べて価格が顕著に高価で、今のところはその普及が遅れている実情である。
【０００５】
このように薄膜型TVまたはこれらを含むホームシアターが高画質の先端デジタル映像-音響装置システムであるため魅力があるにもかかわらず価格負担のため普及が遅延されている実情で、映像-音響装置システムの活用度を高めて先端映像-音響装置システムをより効果的に使用することができる方が好ましい。
【０００６】
また、次世帯デジタルTVはコンピュータの機能が統合されながらホームネットワークの中心であるサーバーの機能をしたり少なくともホームネットワークの中心として機能するだけでなくデジタル動映像通信装置と結合して遠隔診療や画像通話のモニターとしての機能も実現することと予想する。
【発明の開示】
【発明が解決しようとする課題】
【０００７】
本発明の目的は、広く一般家庭で使われる各種映像−音響システムの活用度を向上させる新しい構造の映像-音響装置の設置システムの提供にある。
【課題を解決するための手段】
【０００８】
本発明により映像-音響装置の回転式壁体内蔵システムが提供される。
【０００９】
本発明にかかる映像-音響装置の回転式壁体内蔵システムは、TVを具備する映像-音響装置、前記映像-音響装置を支持する支持フレーム、前記支持フレームの周りを囲んで前記支持フレームが回転可能に装着される壁フレーム、前記壁フレームに対して前記支持フレームを前方定位置または後方定位置に回転させる回転手段、及び前記壁フレームが固定装着される設置孔が貫通形成された壁体を含み、これで前記回転手段による前記支持フレームの前方定位置または後方定位置への回転を通し前記壁体の両側のどちらでも前記映像-音響装置の視聴が可能である。
【００１０】
望ましくは前記回転手段は、前記壁フレームを基準に前記支持フレームを回転させる中心になる回転軸、前記回転軸に連結された従動ギア、前記従動ギアに結合された駆動ギア、前記駆動ギアを回転させるモーター、及び前記モーターの正逆方向の回転と停止位置などを制御するコントローラを含むことができる。
【発明の効果】
【００１１】
本発明に係る映像-音響装置の回転式壁体内蔵システムは、映像-音響装置を壁体の設置孔に回転可能に装着するシステムとして、壁体にワンセットの映像-音響装置を設置することだけで壁体の両側空間(例、居間と茶の間)どちらの方向でも映像-音響装置を視聴することができるので、映像-音響装置の活用度を一層高める効果がある。
【００１２】
また、本発明に係る映像-音響装置の回転式壁体内蔵システムは、前記映像-音響装置をデジタル動映像通信装置と結合して遠隔診療と画像通話などのモニターとして使用する場合において、患者と通話者が映像-音響装置が設置された場所まで移動せず映像-音響装置を自分が位置する場所に向けるように作動させすぐに使える効果もある。
【発明を実施するための形態】
【００１３】
以下、添付した図面を参照して本発明に係る映像-音響装置の回転式壁体内蔵システムを詳細に説明する。以下の具体例は本発明の範囲を例示的に説明するだけで、本発明の範囲を制限するものではない。
【００１４】
図示の通り、本発明に係る映像-音響装置の回転式壁体内蔵システム1は、基本的に映像-音響装置10、支持フレーム20、壁フレーム30、回転手段40及び壁体50を含む。
【００１５】
前記映像-音響装置10は、例えばPDP TVやLCD TVのように薄く製作しえるTVやまたはこういうTVを一部構成として含むホームシアターまたはホームサーバーなどを意味し、以下では映像-音響装置10の例として薄膜型TVを説明し、因みに映像-音響装置と薄膜型TVに同一の図面番号10を使用する。
【００１６】
本発明に適用される映像-音響装置10のTVとしてブラウン管やプロジェクションTVより薄膜型TV10が好ましいのは、基本的に本発明のシステム1が貫通された壁体50の厚さにかけて映像-音響装置10を装着するシステムであり、少なくとも現在は薄膜型TV10のみ限定された壁体50の厚さ(例、150ｍｍ)に無理なく装着できるためである。したがって、壁体50の厚さが厚かったりブラウン管やプロジェクションTVが現在より薄く製作されるならば薄膜型TV以外の他の手段も本発明に適用することができるのは当然である。
【００１７】
前記支持フレーム20は映像-音響装置10を壁フレーム30に対し回転可能に設置することにおいて、映像-音響装置10を支持して映像-音響装置10と共に一体に回転するフレームである。
【００１８】
図示の具体例は映像-音響装置10として薄膜型TV10が適用された場合を例示したものであって、支持フレーム20は 薄膜型TV10の周りを囲んで枠組を形成している。しかしTV10だけ回転になるばかりでなく映像-音響装置10を構成する本体(アンプ、等)とスピーカーがTVと一体に回転したりTVとは別途に回転する構成も本発明に含まれるものと理解すればよい。
【００１９】
壁フレーム30は壁体50に貫通形成された設置孔51の周りに固定的に設置されるフレームとして支持フレーム20の周りを囲んで支持フレームを回転可能に収容する。即ち、映像-音響装置10は支持フレーム20に固定された状態で壁フレーム30の内側に回転可能に装着されるのである。
【００２０】
壁フレーム30に対する支持フレーム20の回転及び固定は前記回転手段40により実現される。回転手段40としては使用者の操作により支持フレーム20を回転させて映像-音響装置10を前方定位置または後方定位置で停止させる手段であれば特に制限しないし、このような回転手段40としては公知の回転軸、モータ、ギアなどの一般的な動力伝達手段などが使えられる。
【００２１】
図示した具体例においては、壁フレーム30を基準に支持フレーム20を回転させる回転中心になる回転軸41、前記回転軸41に連結された従動ギア42、前記従動ギア42に対して適当な減速比率で結合された駆動ギア43、前記駆動ギア43を回転させるモータ(44：例、正逆方向ステッピングモータ)、前記モータ44の正逆方向の回転と停止位置などを制御するコントローラ45、及び前記コントローラ45を遠隔制御するリモコン46を含む回転手段40を例示したものである。もちろんリモコン46は省略なりうる。
【００２２】
しかし、例示した回転手段40は壁体50の設置孔51で映像-音響装置10を回転させる基本原理を説明するためのことであって、広く公知された各種機械、電気及び電子技術を組み合わせた多様な他の構造の回転手段40も本発明に合うように具現することができる。
【００２３】
本発明は映像-音響装置10を壁体50に内蔵するシステムであるので壁体50が一つの構成要素として含まれるし、壁体50には壁フレーム30を固定させるための設置孔51が貫通して形成されている。
【００２４】
以上で説明した本発明のシステム1は、壁体(例、居間と茶の間の境を形成する壁体)に設置孔51を貫通形成して、設置孔51に壁フレーム30を装着したあと、支持フレーム20に映像-音響装置10を装着して支持フレーム20を壁フレーム30に挿入した態で支持フレーム20に回転手段40を装着する方式に設置され、前記回転手段40を操作して映像-音響装置10を居間または茶の間側を向けるようにして居間と茶の間から選択して映像-音響装置10を視聴することができる。
【００２５】
また、本発明のシステム1を遠隔診療(たまは画像通話)に使われる場合、患者と通話者は映像-音響装置10がある場所に移動する必要がなくて患者と通話者がとまっているその場(例、茶の間)で本発明のシステム1を利用することができるので、特に挙動の不便な患者がある場合非常に便利に使用することができる。
【００２６】
壁体内蔵形である本発明のシステム1は、既存の建築物にも適用することができるが、アパートのような住宅を建築するとき設計段階からオプションとして適用した方が好ましい。
【００２７】
壁体内蔵形である本発明のシステム1においては、貫通された壁体50を間に置いている二つの空間の間に防音が問題になることもある。こういう防音の問題を解消するため支持フレーム20はその回転が妨げない範囲で壁フレーム30にピッタリするサイズで形成して支持フレーム20の外側周りと壁フレーム30の内側周りの間を最大限密閉させることが好ましい。
【００２８】
また、より確実な遮音のために、支持フレーム20が定位置に落ち着けば壁フレーム30との間の隙間を遮断するように作動する機械的遮音装置を支持フレーム20及び/または壁フレーム30に設置することもできる。
【００２９】
また、壁体50に遮音カーテン(ドア)を設置して映像-音響装置10を使用しないときやまたは反対側に回転になって使われている場合カーテン(ドア)を閉じておくことでシステム1の露出を遮断する一方、より確実に遮音できるようにすることもできる。
【００３０】
あわせて、公知の機械/電気機構を適用して壁フレーム30に対し支持フレーム20の高さを上下に調節できるようにして映像-音響装置10の視聴する目の高さを調節する構造、または壁フレームに対して支持フレーム20の前後傾斜角度を調節できるようにして視聴角度を調節する構造等も本発明のシステムに採用することができる。
【図面の簡単な説明】
【００３１】
【図１】本発明に係る例示的な映像-音響装置の回転式壁体内蔵システムの概略図。
【図２】本発明に係る例示的な映像-音響装置の回転式壁体内蔵システムの作動図。
【図１】
2008521334.tif 000003
【図２】
2008521334.tif 000004
【国際調査報告】
2008521334.tif 000005